(57)【要約】【課題】  プラスチックフィルムにより製袋された封筒に宛名ラベルを貼着した封筒において、宛名ラベルの切り離しを容易とする。【解決手段】  プラスチックフィルム１により製袋された封筒Ｅに宛名ラベルを貼着した封筒において、貼着による宛名ラベル１０とプラスチックフィルムの積層部分を封筒より切り離すための環状又は一部が途切れた環状の切り取り線１１をプラスチックフィルムに配する。【選択図】      図１
2006021801.tif 000002
【特許請求の範囲】
【請求項１】
プラスチックフィルムにより製袋された封筒に宛名ラベルを貼着した封筒において、貼着による宛名ラベルとプラスチックフィルムの積層部分を封筒より切り離すための環状又は一部が途切れた環状の切り取り線をプラスチックフィルムに配したことを特徴とするプラスチックフィルム製封筒。
【請求項２】
宛名ラベルとプラスチックフィルムの積層部分を封筒より切り離すための環状又は一部が途切れた環状の切り取り線を、プラスチックフィルム全体を引き裂くための切り取り線に接続させた請求項１記載のプラスチックフィルム製封筒。
【請求項３】
環状又は一部が途切れた環状の切り取り線の一部を、プラスチックフィルム全体を引き裂くためにプラスチックフィルム全面に接続して配した切り取り線と共用した請求項２記載のプラスチックフィルム製封筒。
【請求項４】
環状又は一部が途切れた環状の切り取り線の外側に、プラスチックフィルム全体に引き裂きのきっかけを与えるための線状の切り取り線を配した請求項２記載のプラスチックフィルム製封筒。
【請求項５】
宛名ラベルとプラスチックフィルムの積層部分の外側のプラスチックフィルム箇所に環状又は一部が途切れた切り取り線を配した請求項１から４の何れかに記載のプラスチックフィルム製封筒。
【請求項６】
宛名ラベルとプラスチックフィルムの積層部分の内側のプラスチックフィルム箇所に環状又は一部が途切れた切り取り線を配した請求項１から４の何れかに記載のプラスチックフィルム製封筒。
【請求項７】
環状又は一部が途切れた切り取り線の一部を半島状に延長し、上記延長部分を宛名ラベルとプラスチックフィルムの積層部分の外側のプラスチックフィルム箇所に配した請求項６記載のプラスチックフィルム製封筒。
【請求項８】
プラスチックフィルムに宛て名ラベルを貼着するに際し、宛て名ラベルのコーナー箇所の一部分を非貼着部分とし、環状又は一部が途切れた切り取り線は上記非貼着部分を避けた宛名ラベルとプラスチックフィルムの積層部分の内側のプラスチックフィルム箇所に配される請求項６記載のプラスチックフィルム製封筒。
【請求項９】
宛名ラベルの一端から半島状の突出部を突出させ、プラスチックフィルムに宛て名ラベルを貼着するに際し、上記突出部を非貼着部分とした請求項６記載のプラスチックフィルム製封筒。
【請求項１０】
切り取り線はミシン目状である請求項１から９の何れかに記載のプラスチックフィルム製封筒。
【発明の詳細な説明】
【技術分野】
【０００１】
この発明は郵便物や宅配品を収容するためのプラスチックフィルム製の封筒に関する。
【背景技術】
【０００２】
カタログや雑誌等の郵送や宅配時に使用する封筒として、従来の紙製の封筒に代わりプラスチックフィルム製の封筒が普及している（例えば、公知文献１）。この種の封筒においては発送時にフィルム面に宛名を直接記入するわけにはいかないので、宛名を印字した宛名ラベルをプラスチックフィルムに貼付していた。
【特許文献１】特開平１１−２２７７８３号
【発明の開示】
【発明が解決しようとする課題】
【０００３】
ところで、リサイクルの観点から可燃性のゴミと不燃性のゴミを分別投棄することが要請されている。上記のプラスチックフィルム製封筒も例外ではなく、分別投棄のためにプラスチックフィルムからなる封筒本体と紙製の宛て名ラベルを分離する作業が必要となる。
【０００４】
この場合、配達中に不用意に脱落することを防止するために宛て名ラベルはプラスチックフィルムに強固に貼着されているのが通常であり、宛て名ラベルを封筒から分離するには積層部分のプラスチックフィルムごと切り離す作業が必要であった。
【０００５】
しかしながら、この種のプラスチックフィルム製封筒は配達中に開裂して内容物を棄損しないように、例えばＬＬＤＰＥフィルム等のように剛性が高く、腰の強いフィルムにより製袋される場合が多く、宛て名ラベルを指先でつまんで切り離す作業は困難を極め、その都度鋏等を用意しなくてはならない問題があった。
【課題を解決するための手段】
【０００６】
この発明は以上の従来技術の問題点を解消したプラスチックフィルム製封筒を提供することを目的として創作されたものであり、ここでは次の２つの発明を開示する。
【０００７】
第１発明はプラスチックフィルムにより製袋された封筒に宛名ラベルを貼着した封筒において、貼着による宛名ラベルとプラスチックフィルムの積層部分を封筒より切り離すための環状又は一部が途切れた環状の切り取り線をプラスチックフィルムに配したことを特徴とする。
【０００８】
また、第２発明は前記の第１発明において、環状又は一部が途切れた環状の切り取り線を、プラスチックフィルム全体を引き裂くための切り取り線に接続させたことを特徴とする。
【発明の効果】
【０００９】
この発明によれば、宛名ラベルとプラスチックフィルムの積層部分のプラスチックフィルムには、封筒より切り離すための環状又は一部が途切れた環状の切り取り線が配されているので、切り取り線に囲まれた部分を指先で摘んで引き上げれば切り取り線に沿ってその部分が分断され、鋏などを用いずともその場で容易に宛て名ラベル箇所を封筒から切り離すことが可能となる効果を奏する。
【００１０】
また、第２発明によれば、宛て名ラベルを切り離すための切り取り線の一部が、開封のためにプラスチックフィルム全体を引き裂くための切り取り線に接続されるので、開封と同時に宛て名ラベル箇所を封筒から切り離すことが可能となる効果を奏する。この場合、プラスチックフィルム全体を引き裂くための切り取り線は直線状であり、切り取りにあたっては切り取り線によって分断された左右の領域を摘んで引き離す作業は比較的容易である。これに対し、宛て名ラベルを切り離すための切り取り線は内方に囲まれた領域を有する環状であり、囲まれた小面積の領域を切り離す作業が必要となるが、冊子などを収容した封筒は冊子に密接して遊びがないのでこの作業は比較的難しい。よって、この発明によれば比較的切り離しが容易なプラスチックフィルム全体を引き裂くための切り取り線を利用して、そのまま宛て名ラベルを切り離すための切り取り線も切り離すことができるので、２つの機能の組み合わせの総和以上の効果を得ることが可能となる。
【発明を実施するための最良の形態】
【００１１】
以下、この発明の具体的実施例を添付図面に基づいて説明する。図１及び図２は第１発明の第１実施例を示す図である。図中符号Ｅはプラスチックフィルム製の封筒であり、ここではプラスチックフィルム１を合掌状の接合部２を有すると共に表面と裏面の２面構成の筒状に折曲し、更に筒の開口端１、２を接合するという公知の手段により製袋されるものを例示する。尚、冊子などの内容物は上記の製袋の工程においてプラスチックフィルム１上にセットされる。図中符号１０は紙製の宛名ラベルであり、ここでは矩形のものが封筒Ｅ上の予め定められた位置に貼着される。
【００１２】
図中符号１１は切り取り線であり、ここでは矩形の環状のものが宛名ラベル１０とプラスチックフィルム１の積層部分の外側のプラスチックフィルム箇所に配される。切り取り線１１として、ここでは連結部と切断線部が小さい寸法で交互に接続するミシン目状のものを例示するが、連結部と切断線部の比率はこれに止まらず、連結部に対し切断線部が極端に長いようなものであってもよいことは勿論である。又、切り取り線１１は完全な環状に配される他、一部が途切れた環状であってもよいことは勿論である。
【００１３】
図１０及び図１１は、前記の封筒Ｅを製袋するためのプラスチックフィルム１に切り取り線１１を施すための工程の一例を示す図である。ここでは製袋と内容物の封入、封緘を同時に行う封入封緘装置にフィルム供給ロールＲ１からプラスチックフィルム１を繰り出す過程において、回転・押圧ロールＲ２の表面に配したミシン目カッターＣの押圧により切り取り線１１を剪断により打ち抜いている。尚、図中符号５は各種の位置決めのためにプラスチックフィルム１に規則的に配される印刷ピッチマークである。
【００１４】
図３は第１発明の第２実施例を示す図である。図中符号２１は切り取り線であり、ここでは矩形の環状のものが宛名ラベル２０とプラスチックフィルムの積層部分の内側のプラスチックフィルム箇所に配される。この場合、切り取り線２１は貼着された宛名ラベル２０に覆われてそのままでは指先で探索できないので、この実施例においては切り取り線２１の一部を半島状に延長し、上記延長部分２２を宛名ラベルとプラスチックフィルムの積層部分の外側のプラスチックフィルム箇所に配することにより、切り離しに際して切り取り線を指先で探索しやすくしている。
【００１５】
この実施例においては、延長部分２２を除いて、切り取り線の大部分は宛名ラベル２０により覆われるので、封筒Ｅ内の密閉性が損なわれない効果を生じる。
【００１６】
図４は第１発明の第３実施例を示す図である。この実施例の場合も、前記の第２実施例同様、切り取り線３１は宛名ラベル２０とプラスチックフィルムの積層部分の内側のプラスチックフィルム箇所に配される。この実施例においては、プラスチックフィルムに宛て名ラベルを貼着するに際し、宛て名ラベルのコーナー箇所の一部分を非貼着部分３２とし、切り取り線は上記非貼着部分を避けた一部が途切れた環状のものとしている。
【００１７】
この実施例においては、宛て名ラベル３２の非貼着部分３２を上方に引き上げて摘み代として（図５参照）そのまま上方に引き上げることにより、宛て名ラベル３２に積層されたプラスチックフィルム部分が切り取り線３１に沿って切り離されることとなる。この実施例においては、切り取り線の全てが宛名ラベル３０により覆われるので、前記の第２実施例に比し封筒Ｅ内の密閉性が損なわれない効果がより大きい。
【００１８】
図５は第１発明の第４実施例を示す図である。この実施例の場合も、前記の第２実施例同様、切り取り線４１は宛名ラベル４０とプラスチックフィルムの積層部分の内側のプラスチックフィルム箇所に配される。この実施例においては、宛名ラベル４０の一端から半島状の突出部４２を突出させ、プラスチックフィルムに宛て名ラベルを貼着するに際し、上記突出部を非貼着部分としている。
【００１９】
この実施例においては、宛て名ラベル４２の非貼着部分４２を上方に引き上げて摘み代としてそのまま上方に引き上げることにより、宛て名ラベル４２に積層されたプラスチックフィルム部分が切り取り線４１に沿って切り離されることとなる。この実施例においては、切り取り線の全てが宛名ラベル４０により覆われるので、前記の第２実施例に比し封筒Ｅ内の密閉性が損なわれない効果がより大きい。
【００２０】
図７は第２発明の第１実施例を示す図である。図中符号５１は切り取り線であり、ここでは矩形の環状のものが宛名ラベル５０とプラスチックフィルム１の積層部分の外側のプラスチックフィルム箇所に配される。一方、図中符号５２はプラスチックフィルム全体を引き裂くためにプラスチックフィルム全面に接続して配される切り取り線であり、その一部が前記のプラスチックフィルムの積層部分を封筒より切り離すための切り取り線５１の一つの辺と共用されることにより、両者が接続される。
【００２１】
前記したように、プラスチックフィルム全体を引き裂くための切り取り線５２の切り取りにあたっては、切り取り線によって分断された左右の領域を摘んで引き離す作業は比較的容易であるのに対し、宛て名ラベルを切り離すための切り取り線５１の切り取りにあたっては、環状又は一部が途切れた環状により囲まれた小面積の領域を切り離す作業は比較的難しい。この実施例の場合は、両切り取り線５１、５２が接続されていることから、先ず切り取り線５２を切り取り、そのまま切り取り線５１の切り取りに移れば切り取り作業は容易となる。上記効果は、切り取り線が宛名ラベルとプラスチックフィルム１の積層部分の内側のプラスチックフィルム箇所に配されている場合に特に顕著である。
【００２２】
図８及び図９は第２発明の第２実施例を示す図である。図中符号６１は切り取り線であり、ここでは矩形の環状のものが宛名ラベル６０とプラスチックフィルム１の積層部分の外側のプラスチックフィルム箇所に配される。一方、図中符号６２は線状の切り取り線であり、宛て名ラベルを切り離すための切り取り線６１に接続してそれと直交する方向に配される。上記切り取り線６２の役目はプラスチックフィルム全体に引き裂きのきっかけを与えることであり、全長はごく短く設定され、図８においては封筒の短手方向の２箇所、図９においては同じく長手方向の２箇所に配される。
【００２３】
この実施例においては切り取り線６２の長さは最小限に止められるので、封筒Ｅ内の密閉性を保ちたい場合に有効である。
【図面の簡単な説明】
【００２４】
【図１】第１発明の第１実施例の分解斜視図
【図２】同上、平面図
【図３】第１発明の第２実施例の宛名ラベル箇所の平面図
【図４】第１発明の第３実施例の宛名ラベル箇所の平面図
【図５】第１発明の第３実施例の宛名ラベル箇所の斜視図
【図６】第１発明の第４実施例の宛名ラベル箇所の斜視図
【図７】第２発明の第１実施例の平面図
【図８】第２発明の第２実施例の平面図
【図９】第２発明の第２実施例の平面図
【図１０】この発明の封筒を製袋する工程の一例を示す図
【図１１】この発明の封筒を製袋する工程の一例を示す図
【符号の説明】
【００２５】
Ｅ            封筒
１            プラスチックフィルム
１０          宛名ラベル
１１          切り取り線
【図１】
2006021801.tif 000003
【図２】
2006021801.tif 000004
【図３】
2006021801.tif 000005
【図４】
2006021801.tif 000006
【図５】
2006021801.tif 000007
【図６】
2006021801.tif 000008
【図７】
2006021801.tif 000009
【図８】
2006021801.tif 000010
【図９】
2006021801.tif 000011
【図１０】
2006021801.tif 000012
【図１１】
2006021801.tif 000013